(57)【要約】      （修正有）【課題】従来にない作用効果を発揮する画期的なヒンジ装置並びにヒンジ装置を用いた電子機器を提供する。【解決手段】第一部材１と第二部材２とを回動自在に連結するヒンジ装置であって、カム部４に設けた第一の凸部６及び第二の凸部７が、前記第一部材１と第二部材２とが閉塞状態のとき係合若しくは係合途中となる第一の凹部８及び第二の凹部９を前記カム係合部５に設けると共に、前記第一の凸部６及び第二の凸部７が、前記第一部材１と第二部材２とが前記開放状態のとき係合若しくは係合途中となる第三の凹部10及び第四の凹部11を前記カム係合部５に設け、前記カム部４とカム係合部５との相対回動に際し、前記第一の凸部６及び第二の凸部７は互いに他が凹凸係合する凹部には凹凸係合しない位置関係となるように構成されたものである。【選択図】図３
2006220198.tif 000002
【特許請求の範囲】
【請求項１】
第一部材と第二部材とを回動自在に連結するヒンジ装置であって、回動軸部を軸に互いに相対回動自在に設けられる、前記第一部材の回動と共に回動するカム部と、前記第二部材の回動と共に回動するカム係合部とを有し、このカム部に設けた凸部とカム係合部に設けた凹部とが凹凸係合することでその回動位置が係合保持されるように構成したヒンジ装置において、前記カム部に設けた第一の凸部及び第二の凸部が、前記第一部材と第二部材とが前記閉塞状態のとき係合若しくは係合途中となる第一の凹部及び第二の凹部を前記カム係合部に設けると共に、前記第一の凸部及び第二の凸部が、前記第一部材と第二部材とが前記開放状態のとき係合若しくは係合途中となる第三の凹部及び第四の凹部を前記カム係合部に設け、前記カム部とカム係合部との相対回動に際し、前記第一の凸部及び第二の凸部は互いに他が凹凸係合する凹部には凹凸係合しない位置関係となるように構成されていることを特徴とするヒンジ装置。
【請求項２】
第一部材と第二部材とを回動自在に連結するヒンジ装置であって、回動軸部を軸に互いに相対回動自在に設けられる、前記第一部材の回動と共に回動するカム部と、前記第二部材の回動と共に回動するカム係合部とを有し、このカム部に設けた凸部とカム係合部に設けた凹部とが凹凸係合することでその回動位置が係合保持されるように構成したヒンジ装置において、前記カム部に設けた第一の凸部及び第二の凸部が、前記第一部材と第二部材とが前記閉塞状態のとき係合若しくは係合途中となる第一の凹部及び第二の凹部を前記カム係合部に設けると共に、前記第一の凸部及び第二の凸部が、前記第一部材と第二部材とが前記開放状態のとき係合若しくは係合途中となる第三の凹部及び第四の凹部を前記カム係合部に設け、前記第一の凸部と第二の凸部とをカム部の同一円周上でない位置に設けると共に、前記第一の凹部と第二の凹部及び第三の凹部と第四の凹部とをカム係合部の同一円周上でない位置に設けて、前記カム部とカム係合部との相対回動に際し、前記第一の凸部及び第二の凸部は互いに他が凹凸係合する凹部には凹凸係合しない位置関係となるように構成されていることを特徴とするヒンジ装置。
【請求項３】
前記第一部材と第二部材とを閉塞状態から１８０°開放回動させた開放状態のとき前記第一の凸部及び第二の凸部夫々が、第三の凹部及び第四の凹部に係合若しくは係合途中となるように構成されていることを特徴とする請求項１，２のいずれか１項に記載のヒンジ装置。
【請求項４】
操作部を設けた本体部と、ディスプレイ部を設けた重合部とを、前記操作部を操作しない時にはこの操作部を覆うように重合配設し、この重合した状態から前記重合部を相対的に回動して操作部を露出させることができるように前記本体部と前記重合部とを回動自在に連結するヒンジ装置を有し、このヒンジ装置には、前記本体部を前記第二部材若しくは第一部材とし、前記重合部を前記第一部材若しくは第二部材とした前記請求項１〜３のいずれか１項に記載のヒンジ装置を用いたことを特徴とするヒンジ装置を用いた電子機器。
【発明の詳細な説明】
【技術分野】
【０００１】
本発明は、携帯電話，モバイル等の電子機器の枢着部に設けるヒンジ装置並びにヒンジ装置を用いた電子機器に関するものである。
【背景技術】
【０００２】
例えば携帯電話は折り畳み式のものが現在主流とされており、この折り畳み式の携帯電話は、数字キーやファンクションキーを配列した操作部を下側となる本体部の上面側に設け、この操作部のキー操作等により所定の表示がなされる液晶パネルなどのディスプレイ部を上側となる重合部（蓋部）の伏面側（重合側）に設け、この本体部と重合部とをヒンジ装置を介して連結して、本体部と重合部とを二つ折り重合して操作部を重合部により隠蔽した折り畳み閉塞状態から、ヒンジ装置により重合部を起伏回動して略反転し、操作部とディスプレイ部とが露出した開放状態に切り替えできるように構成している。
【発明の開示】
【発明が解決しようとする課題】
【０００３】
ところで、近年、益々携帯電話に対して様々な機能が要求される中、カメラ機能付の携帯電話が人気である。
【０００４】
このカメラ機能付の携帯電話は、本体部若しくは重合部の裏面側に設けられたカメラ部を被写体に向け、このカメラ部から取り込んだ映像をディスプレイ部に映し出して該ディスプレイ部を見ながら撮影することができる。
【０００５】
ところが、この従来から提案される折り畳み式の携帯電話は、会話のし易さやディスプレイ部の見易さ（ディスプレイ部を見ながらの操作部の操作性）などが考慮され、重合部の起伏回動における最大開放角度は、１８０°よりやや小さい角度（１６０〜１７０°位）までしか起伏回動できないように構成しているが、この構成から様々な問題点が生じている。尚、この重合部の起伏回動における最大開放位置規制は、ヒンジ装置の回動部分に過回動阻止のためのストッパーを設けたり、本体部と重合部との枢着部の形状設定により過回動を阻止してこの起伏回動における最大開放位置を規制決定するように構成している。
【０００６】
即ち、例えば、カメラ部を自分とは反対側の被写体へ向けて撮影する場合、ディスプレイ部は見易く、操作部も自分の手前側にある為何ら問題なく写すことができるが、これはカメラ部が重合部の裏面側（メインディスプレイ部が設けられる側と反対側）に設けられる場合のみであり、仮にカメラ部が本体部の裏面側（操作部が設けられる側と反対側）に設けられた場合、カメラ部を被写体に対して真っ直ぐに向けると、ディスプレイ部が自分の手前側へ倒れた状態となる為非常に見えにくくなってしまうなど、カメラ部を設ける位置が制限されてしまうという問題点がある。
【０００７】
また、もし自分自身を撮影する場合には、カメラ部が自分の側に向くように携帯電話全体を反転させるように持ち替えることになるが、しかしこの場合、重合部の最大開放位置は、前述のように１６０〜１７０°位までしか開放できないようにしているから、カメラ部を自分に向けると操作部が自分とは反対の方向へ向いた状態となってしまう。この場合、手首を不自然な状態に曲げるなどしてカメラ部の角度調整をしなければならならず厄介であり、しかも、このようにして携帯電話を持てば安定せずぶれてしまい良好な撮影が行なえないという問題点がある。
【０００８】
本発明は、前述したような問題点を解消し、極めて実用性に秀れ画期的なヒンジ装置並びにヒンジ装置を用いた電子機器を提供するものである。
【課題を解決するための手段】
【０００９】
添付図面を参照して本発明の要旨を説明する。
【００１０】
第一部材１と第二部材２とを回動自在に連結するヒンジ装置であって、回動軸部３を軸に互いに相対回動自在に設けられる、前記第一部材１の回動と共に回動するカム部４と、前記第二部材２の回動と共に回動するカム係合部５とを有し、このカム部４に設けた凸部とカム係合部５に設けた凹部とが凹凸係合することでその回動位置が係合保持されるように構成したヒンジ装置において、前記カム部４に設けた第一の凸部６及び第二の凸部７が、前記第一部材１と第二部材２とが前記閉塞状態のとき係合若しくは係合途中となる第一の凹部８及び第二の凹部９を前記カム係合部５に設けると共に、前記第一の凸部６及び第二の凸部７が、前記第一部材１と第二部材２とが前記開放状態のとき係合若しくは係合途中となる第三の凹部10及び第四の凹部11を前記カム係合部５に設け、前記カム部４とカム係合部５との相対回動に際し、前記第一の凸部６及び第二の凸部７は互いに他が凹凸係合する凹部には凹凸係合しない位置関係となるように構成されていることを特徴とするヒンジ装置に係るものである。
【００１１】
また、第一部材１と第二部材２とを回動自在に連結するヒンジ装置であって、回動軸部３を軸に互いに相対回動自在に設けられる、前記第一部材１の回動と共に回動するカム部４と、前記第二部材２の回動と共に回動するカム係合部５とを有し、このカム部４に設けた凸部とカム係合部５に設けた凹部とが凹凸係合することでその回動位置が係合保持されるように構成したヒンジ装置において、前記カム部４に設けた第一の凸部６及び第二の凸部７が、前記第一部材１と第二部材２とが前記閉塞状態のとき係合若しくは係合途中となる第一の凹部８及び第二の凹部９を前記カム係合部５に設けると共に、前記第一の凸部６及び第二の凸部７が、前記第一部材１と第二部材２とが前記開放状態のとき係合若しくは係合途中となる第三の凹部10及び第四の凹部11を前記カム係合部５に設け、前記第一の凸部６と第二の凸部７とをカム部４の同一円周上でない位置に設けると共に、前記第一の凹部８と第二の凹部９及び第三の凹部10と第四の凹部11とをカム係合部５の同一円周上でない位置に設けて、前記カム部４とカム係合部５との相対回動に際し、前記第一の凸部６及び第二の凸部７は互いに他が凹凸係合する凹部には凹凸係合しない位置関係となるように構成されていることを特徴とするヒンジ装置に係るものである。
【００１２】
また、前記第一部材１と第二部材２とを閉塞状態から１８０°開放回動させた開放状態のとき前記第一の凸部６及び第二の凸部７夫々が、第三の凹部10及び第四の凹部11に係合若しくは係合途中となるように構成されていることを特徴とする請求項１，２のいずれか１項に記載のヒンジ装置に係るものである。
【００１３】
また、操作部を設けた本体部と、ディスプレイ部を設けた重合部とを、前記操作部を操作しない時にはこの操作部を覆うように重合配設し、この重合した状態から前記重合部を相対的に回動して操作部を露出させることができるように前記本体部と前記重合部とを回動自在に連結するヒンジ装置を有し、このヒンジ装置には、前記本体部を前記第二部材２若しくは第一部材１とし、前記重合部を前記第一部材１若しくは第二部材２とした前記請求項１〜３のいずれか１項に記載のヒンジ装置を用いたことを特徴とするヒンジ装置を用いた電子機器に係るものである。
【発明の効果】
【００１４】
本発明は上述のように構成したから、第一部材と第二部材とを閉塞させた閉塞状態において良好な閉塞作用が得られるのは勿論、第一部材と第二部材とを最大限に開放回動させたどの開放状態でも常に良好な開放作用が得られることになるなど、極めて実用性に秀れた画期的なヒンジ装置並びにヒンジ装置を用いた電子機器となる。
【発明を実施するための最良の形態】
【００１５】
好適と考える本発明の実施形態（発明をどのように実施するか）を、図面に基づいて本発明の作用を示して簡単に説明する。
【００１６】
本発明は、第一部材１と第二部材２とが閉塞状態の際、カム部４に設けた第一の凸部６及び第二の凸部７が、カム係合部５に設けた第一の凹部８及び第二の凹部９に係合若しくは係合途中となることでこの閉塞状態は閉塞作用を受けながら保持されることになり、一方、第一部材１と第二部材２とが開放状態の際、第一の凸部６及び第二の凸部７が、カム係合部５に設けた第三の凹部10及び第四の凹部11に係合若しくは係合途中となることでこの開放状態は開放作用を受けながら保持されることになる。
【００１７】
ところで、本発明に係るヒンジ装置を前述したカメラ機能付の携帯電話のヒンジ装置として採用した場合、特に有効である。
【００１８】
即ち、例えば従来から提案されるヒンジ装置は、第一部材１に設けられるカム部４に一対の凸部を設け、この凸部に付勢機構の付勢を伴い凹凸係合する一対の凹部を第二部材２に設けられるカム係合部５に設けた構造であり、この構造で第一部材１と第二部材２とを閉塞状態から１８０°開放回動させた開放状態とした際に凸部と凹部を凹凸係合させようとする場合、カム部４の凸部がカム係合部５の凹部に完全に落ち込んだ凹凸係合状態となる為、閉塞状態から１８０°開放回動させた開放状態において開放作用（開放方向に付勢する開放付勢力）は発揮させることはできず、凸部と凹部を高い精度で製造しない限り第一部材１と第二部材２との間に回動方向へのガタが生じてしまう。
【００１９】
また、その他にも、例えばカム部４に設ける凸部を一つとし、この凸部が凹凸係合する凹部をカム係合部５の二箇所に設ける構成にすれば、第一部材１と第二部材２とを閉塞状態から１８０°開放回動させた開放状態において凸部と凹部とを係合途中とすることができ、開放作用を発揮させることも可能であるが、この場合、カム部４とカム係合部５とが一点支持状態であるため傾いた状態となり、しかも、カム部４とカム係合部５との相対回動がスムーズに行なわれないという問題点がある。
【００２０】
この点、本発明は、カム部４に設けた第一の凸部６及び第二の凸部７が、第一部材１と第二部材２とが閉塞状態のとき係合若しくは係合途中となる第一の凹部８及び第二の凹部９をカム係合部５に設けると共に、第一の凸部６及び第二の凸部７が、第一部材１と第二部材２とが開放状態のとき係合若しくは係合途中となる第三の凹部10及び第四の凹部11をカム係合部５に設け、カム部４とカム係合部５との相対回動に際し、第一の凸部６及び第二の凸部７は互いに他が凹凸係合する凹部には凹凸係合しないように構成されているから、例えばカム部４の凸部及びカム係合部５の凹部を設ける位置によって、カム部４とカム係合部５との相対回動に伴う凸部と凹部とが凹凸係合する位置（係合途中となる位置）を可変することができ、例えば第一部材１と第二部材２とを閉塞状態から１８０°開放回動させた際、第一の凸部６及び第二の凸部７がカム係合部５に設けた第三の凹部10及び第四の凹部11に係合若しくは係合途中となる構成にすることができる。
【００２１】
つまり、後述する実施例のようにカム部４とカム係合部５とを２００°相対回動させると凸部と凹部とが完全に係合し、１８０°相対回動させた位置で凸部と凹部とが係合途中となるように構成すれば、第一部材１と第二部材２とを１８０°開放回動させた時点で回動規制すれば、この１８０°開放回動させた開放状態で開放作用（開放方向への付勢力）が生じることになり、第一部材１と第二部材２とのガタつきのない良好な開放状態が得られることになる。
【００２２】
従って、第一部材１と第二部材２とを閉塞させた閉塞状態において良好な閉塞作用が得られるのは勿論、第一部材１と第二部材２とを最大限に開放回動させたどの開放状態でも（３６０°の回動範囲内であれば）常にその回動位置で良好な開放作用が得られることになり、しかも、カム部４とカム係合部５との相対回動は二点支持状態により回動するから、傾いたりせず非常に安定したスムーズな回動が行なわれることになり、また、本発明に係るヒンジ装置をカメラ機能付の携帯電話のヒンジ装置に採用した場合には、第一部材１と第二部材２とを１８０°開放回動させた開放状態を堅固に保持することができるから、例えばディスプレイ部が見易く、写しやすい状態で撮影が行なうことができ、そして、楽な状態でしっかりと持つことができることになるからぶれたりせず良好な撮影が行なえることになる。
【実施例】
【００２３】
本発明の具体的な実施例について図面に基づいて説明する。
【００２４】
本実施例は、重合コンパクト化の図れる携帯電話に本発明を適用したもので、回路基板，電源等の電子部品をケースに内装した板状の本体部２（第二部材２）の上面側に数字キーやファンクションキーなどを配列したキーボード機能を果たす操作部12を設け、この本体部２に重合して操作部12を覆う略同形の板状の重合部１（第一部材１）を起伏回動自在にヒンジ装置Ｈにより軸着連結した構成としている。
【００２５】
この重合部１の下面側（伏面）には予め設定した画面や前記操作部12の操作や着信等により所定の表示がなされる液晶パネルなどのディスプレイ部13を設けている。
【００２６】
この本体部２と重合部１との連結は、双方の端部同志の重合部分を、幅方向に配される起伏回動軸部14と、これと直交する方向に配される自転回動軸部15を有する二軸のヒンジ装置Ｈにより連結し、従来通り重合部１は前後方向に１８０°起伏回動自在となり、且つ左右方向に１８０°自転回動自在（反転自在）となり、開放状態として１８０°反転回動することで、重合部１の表裏向きを切り替えでき、また互いに重合した閉塞状態における重合部１の伏面と露出面とを反転切り替えできるように構成している。
【００２７】
また、本体部２の重合部１の重合側の外面に図示省略のカメラ部を設け、このカメラ部の映像が重合部１のディスプレイ部13に映し出されるように構成し、反転させてディスプレイ部13を外面にして重合部１を操作部12に重合させることで折り畳んでコンパクト化した状態でデジタルカメラとして使用できるように構成している。
【００２８】
次に本実施例のヒンジ装置Ｈについて説明する。
【００２９】
本実施例では、前述のように本体部２と重合部１とを互いに重合した閉塞状態から左右一対の起伏回動軸部14を軸として所定角度まで開放回動して重合面が露出する開放状態となるように起伏回動自在にして、且つ本体部２に対して開放回動する重合部１を一つの自転回動軸部15を軸として自転回動自在にして重合部１の重合伏面と露出面とを反転切り替え自在に連結するヒンジ装置Ｈであって、開閉回動ヒンジ部ＨＡの一方の取付部16を前記本体部２に連結し、この一方の取付部16と前記起伏回動軸部14を介して回動自在に連結される他方の取付部17を、前記自転回動軸部15を備えた自転回動ヒンジ部ＨＢを介して前記重合部１に連結して、前記自転回動ヒンジ部ＨＢを前記開閉回動ヒンジ部ＨＡにより起伏回動（公転回動）自在に設けている。
【００３０】
具体的に説明すると、自転回動ヒンジ部ＨＢの自転回動軸部15の取付座ベースとなる軸取付部17（ベース部17）をコ字形に形成し、このベース部17の対向脚部17Ａの一方には一の起伏回動軸部14を挿通する軸支孔（図示省略）を設けると共に、他方には他の起伏回動軸部14を連結する連結部17Ｃを設け、上片部（架設部17Ｂ）には自転回動軸部15を挿通する軸孔（図示省略）を設けている。
【００３１】
先ず、開閉回動ヒンジ部ＨＡについて説明すると、起伏回動軸部14の取付座ベースとなる取付部16（ベース部16）をコ字形に形成し、このベース部16の対向脚部16Ａの一方に挿通した回動軸部３を、ベース部16の一方の対向脚部16Ａの側方に配され、ベース部17の一方の対向脚部17Ａに回り止め状態で止着される筒状ケース18内に貫通配設する構成とし、この筒状ケース18内に、カム部４を前記回動軸部３を軸として該回動軸部３に被嵌される付勢機構19（バネ）の付勢に抗してスライド自在に内装するとともに、このカム部４と相対回動自在となり、カム部４に設けた凸部に凹凸係合する凹部を設けたカム係合部５をベース部16の一方の対向脚部16Ａの側方に回り止め状態で止着している（尚、カム係合部５を筒状ケース18に内装しても良いし、カム部４及びカム係合部５双方を筒状ケース18に内装しても良い。）。つまり、本実施例では、回動軸部３に被嵌して回動する前記カム部４をスライド自在に前記筒状ケース18に内装し、他方のカム係合部５は、回動軸部３に対して相対的に回動する前記ベース部16の一方の対向脚部16Ａにカム係合部材５Ａを回り止め状態で配設してカム係合部５としている。
【００３２】
従って、所定起伏回動位置では、カム部４とカム係合部５とはバネ19の付勢を伴い（付勢機構の付勢を伴い）位置決め（カムロック）されるように構成し、例えば本体部２と重合部１とが閉塞状態ではカム係合途中にあって閉塞作用（閉塞付勢）を発揮し、開放状態ではカム係合途中にあって開放作用（開放付勢）を発揮し、また起伏回動途中（カム係合部５の凹部同士間の平坦面５ｂをカム部４の一対の凸部が二点支持状態で摺動している間）ではバネ付勢により回動抵抗が生じ、手を放した回動位置が保持されるフリーストップを実現できるように構成している。
【００３３】
符号21は筒状ケース18をベース部16の対向脚部16Ａに止着するための止着ネジ、22はベース部16の対向脚部16Ａ，カム係合部５，カム部４，バネ19及び筒状ケース18を貫通させた回動軸部３の端部をかしめた際、このかしめ部分に係止して回動軸部３の抜け止めを行なう抜け止め部材である。
【００３４】
また、本実施例では、カム部４に二つの凸部を設け、この一対の凸部が凹凸係合する四つの凹部をカム係合部５に設けている。尚、本明細書で言う凹凸係合とは完全係合及び係合途中の双方を含む広い意味である。
【００３５】
具体的には、カム部４の端面に突設した第一の凸部６及び第二の凸部７が、重合部１と本体部２とが閉塞状態のとき係合途中となる第一の凹部８及び第二の凹部９をカム係合部５の端面に凹設すると共に、第一の凸部６及び第二の凸部７が、重合部１と本体部２とが開放状態のとき係合途中となる第三の凹部10及び第四の凹部11をカム係合部５の端面に凹設し、このカム部４とカム係合部５との相対回動に際し、前記第一の凸部６及び第二の凸部７は互いに他が凹凸係合する凹部（第一の凹部８及び第二の凹部９，第三の凹部10及び第四の凹部11）には凹凸係合しないように構成されている。
【００３６】
即ち、図６，７に図示したように回動軸部３を軸として互いに突合せ状態に配されるカム部４とカム係合部５において、このカム部４の突合せ面に設けられる第一の凸部６と第二の凸部７とを、回動軸部３を貫通するカム部４に設けた軸受け孔４ａを間に配した対向位置にして同一円周上でない内外位置に設け、このカム部４に設けた第一の凸部６及び第二の凸部７が凹凸係合するもので、回動軸部３を貫通するカム係合部５に設けた軸受け孔５ａを間に配した対向位置にして同一円周上でない内外位置に第一の凹部８及び第二の凹部９をカム係合部５の突合せ面に設けると共に、カム部４とカム係合部５とを相対回動させ、この第一の凹部８及び第二の凹部９から係脱した第一の凸部６と第二の凸部７が落ち込み凹凸係合する第三の凹部10及び第四の凹部11を、カム係合部５に設けた軸受け孔５ａを間に配した対向位置にしてカム係合部５の突合せ面の同一円周上でない内外位置に設けており、更に、この第一の凹部８及び第二の凹部９同志の中心を結ぶ直線と、第三の凹部10及び第四の凹部11同志の中心を結ぶ直線とが合致せず交差する位置関係となるように構成されている。
【００３７】
従って、カム部４とカム係合部５との相対回動に際し、前記第一の凸部６及び第二の凸部７は互いに他が凹凸係合する凹部には凹凸係合しない位置関係となる。
【００３８】
また、本実施例は、重合部１と本体部２とを閉塞状態から１８０°開放回動させた開放状態のとき第一の凸部６及び第二の凸部７夫々が、第三の凹部10及び第四の凹部11に係合途中となるように構成されている。
【００３９】
具体的には、本実施例は、カム部４とカム係合部５とを相対回動させた際、第一の凹部８及び第二の凹部９に完全に落ち込み凹凸係合していた第一の凸部６及び第二の凸部７が第一の凹部８及び第二の凹部９から係脱し、２００°相対回動した後、第一の凸部６及び第二の凸部７が第三の凹部10及び第四の凹部11に完全に落ち込み凹凸係合するよう、第一の凸部６，第二の凸部７と、第一の凹部８，第二の凹部９，第三の凹部10及び第四の凹部11夫々の配置や大きさが適宜設定されている。
【００４０】
従って、図７に図示したようにカム部４とカム係合部５とを２００°相対回動させると凸部と凹部とが完全に凹凸係合し、この２００°の相対回動範囲内において１８０°相対回動させた位置で凸部と凹部とが係合途中となるように構成すれば、重合部１と本体部２を閉塞状態で閉塞作用（閉塞方向への付勢力）を生じさせ、そして、重合部１と本体部２とを閉塞状態から１８０°開放回動させた時点で回動規制すれば、この１８０°相対回動させた開放状態で開放作用（開放方向への付勢力）が生じることになり、重合部１と本体部２とのガタつきのない良好な開放状態が得られることになる（図９〜１１参照）。
【００４１】
尚、この第一の凸部６，第二の凸部７と、第一の凹部８，第二の凹部９，第三の凹部10及び第四の凹部11夫々の配置や大きさを適宜可変することで、カム部４の凸部とカム係合部５の凹部とが凹凸係合する角度（例えば３００°など）を自由に設定することができる。
【００４２】
また、本実施例は、本体部２（回動軸部３）に対して起伏回動するベース部17に、重合部１を自転回動ヒンジ部ＨＢを介して自転回動自在に連結している。
【００４３】
この自転回動軸部15を備えた自転回動ヒンジ部ＨＢは、ベース部17（軸取付部17）の上片部（架設部17Ｂ）の軸孔に、一端（上端）に設けた取付部20を介して重合部１に連結する自転回動軸部15の他端（下端）を回動自在に挿通し、この自転回動軸部15に回り止めされる図示省略のカム部を挿通すると共にこのカム部にカム係合する図示省略のカム係合部を本実施例ではベース部17の上片部（架設部17Ｂ）に凹凸を形成して設け、前記カム部を自転回動軸部15に沿ってスライド自在に設けると共に図示省略のバネにより係合付勢されるように構成している。
【００４４】
従って、重合部１は自転回動軸部15を軸に自転回動し、前記カム部とカム係合部とのカム係合により、重合閉塞状態できる捩れない回動向きではカムロックされるように構成している。
【００４５】
また、捩れのない向きから１８０度自転回動する際には、バネに抗してカム部がカム係合部に対して離脱して相対回動し、０度と１８０度反転位置で開閉回動ヒンジ部ＨＡと略同様に互いに凹凸係合してカムロックされると共に、回動途中位置ではバネ付勢によりフリーストップが実現されるようにして、閉塞回動可能となる捩れのない０度，１８０度回動位置で位置決めされ、ふらつき回動しないように構成している。
【００４６】
また、本実施例では配線に支障のないように略1８０度以上回動せずこの範囲において正逆時点回動自在となるようにカム部若しくはこのカム部（自転回動軸部）と共に回動する部材と、カム係合部若しくはこれと一体となる部材とに互いに突き合い係止するストッパー部23を設けている。
【００４７】
本実施例は上述のように構成したから、重合部１と本体部２とが閉塞状態の際、カム部４に設けた第一の凸部６及び第二の凸部７が、カム係合部５に設けた第一の凹部８及び第二の凹部９に係合途中となることでこの閉塞状態は閉塞作用を受けながら保持されることになり、一方、本体部２に対して重合部１を１８０°開放回動させた開放状態の際、第一の凸部６及び第二の凸部７が、カム係合部５に設けた第三の凹部10及び第四の凹部11に係合途中となることでこの開放状態は開放作用を受けながら保持されることになる。
【００４８】
よって、本実施例によれば、前述した構成のヒンジ装置Ｈをカメラ機能付の携帯電話のヒンジ装置に採用した場合には、重合部１と本体部２とを１８０°開放回動させた開放状態を堅固に保持することができるから、例えばディスプレイ部が見易く、写しやすい状態で撮影が行なうことができ、そして、楽な状態でしっかりと持つことができることになるからぶれたりせず良好な撮影が行なえることになる。
【００４９】
尚、本発明は、本実施例に限られるものではなく、各構成要件の具体的構成は適宜設計し得るものである。
【図面の簡単な説明】
【００５０】
【図１】本実施例の使用状態説明図である。
【図２】本実施例を説明する斜視図である。
【図３】本実施例を示す分解斜視図である。
【図４】本実施例に係る要部の説明断面図である。
【図５】本実施例に係る要部の説明断面図である。
【図６】本実施例に係る要部の説明図である。
【図７】本実施例に係る要部の説明図である。
【図８】本実施例の概略動作説明図である。
【図９】本実施例に係る要部の説明斜視図である。
【図１０】本実施例に係る要部の説明斜視図である。
【図１１】本実施例に係る要部の説明斜視図である。
【符号の説明】
【００５１】
１  第一部材
２  第二部材
３  回動軸部
４  カム部
５  カム係合部
６  第一の凸部
７  第二の凸部
８  第一の凹部
９  第二の凹部
10  第三の凹部
11  第四の凹部
【図１】
2006220198.tif 000003
【図２】
2006220198.tif 000004
【図３】
2006220198.tif 000005
【図４】
2006220198.tif 000006
【図５】
2006220198.tif 000007
【図６】
2006220198.tif 000008
【図７】
2006220198.tif 000009
【図８】
2006220198.tif 000010
【図９】
2006220198.tif 000011
【図１０】
2006220198.tif 000012
【図１１】
2006220198.tif 000013